(57)【特許請求の範囲】
【請求項１】
除湿機本体に排水タンクを着脱自在に設けた除湿機において、前記排水タンクの上面開口部を大タンクフタで覆い、この大タンクフタの端部に開口部を設け、この開口部を大タンクフタよりも平面積が小さい小タンクフタで着脱可能に覆い、排水タンク内の水捨ては、前記大小二つのタンクフタのうち、大タンクフタが前記排水タンクに取り付けられたままの状態において、小タンクフタのみを当該大タンクフタの前記開口部より取り外した状態にすることで、その開口部から排水できるようにしたことを特徴とする除湿機。
【請求項２】
前記大小二つのタンクフタのうち、小タンクフタ側にドレン受け皿から流下した水を排水タンク内に落とす流入口を設けたことを特徴とする請求項１記載の除湿機。
【請求項３】
前記小タンクフタは、その底面が前記流入口に向かって下方に傾斜していると共にその外周部には手掛け部を形成したことを特徴とする請求項２記載の除湿機。
【発明の詳細な説明】
【０００１】
【発明の属する技術分野】
本発明は、除湿機本体に排水タンクを着脱自在に設けた除湿機における排水作業の改善に関するものである。
【０００２】
【従来の技術】
図６は特開平９−２５７２７０に開示されている従来の除湿機の全体構成を示す断面図である。図６において、１は除湿機本体、２は空気吸込口、３は空気吸込口２の下流に設けられた蒸発器であり、その下流には凝縮器４が設けられ、さらにその下流には送風ファン５を介して吹出口６が設けられている。また、蒸発器３は水流出穴１０を有するドレン受皿７で受けられており、前記水流出穴１０の下部には排水タンク８が設置されている。
一方、蒸発器３と凝縮器４は冷媒配管にて図示しないコンプレッサ９に連結され、冷凍サイクルを構成している。
【０００３】
次に図６に示す従来の除湿機の動作について説明する。
運転を開始すると、コンプレッサ９、凝縮器４、蒸発器３の間を冷媒が循環することにより蒸発器３が冷却され、空気吸込口２から流入した空気の中の水分が蒸発器３表面で凝縮する。流入した空気は凝縮器４、送風ファン５を介して吹出口６から機外に排出される。蒸発器３の表面に凝縮した水は、一旦ドレン受皿７で受けられて、水流出穴１０から流下し、排水タンク８内に貯められる。排水タンク８内の水位が満水位置まで上昇すると、図示しない満水検知装置が作動し、運転を停止する。そこで、使用者は排水タンク８を除湿機本体１から取り出し、排水タンク８内に貯まった水を排水する。
【０００４】
図７は特開平５−１９６２５５に開示されている別の従来除湿機の全体構成を示す断面図で、図８は図７の従来除湿機で用いられているタンクフタを示す図である。
図７において、１１は排水タンク８の開口部を覆うタンクフタ、１２はフロート、１３はフロート１２の上昇によって押圧されるリミットスイッチである。
図７に示す従来の除湿機における動作もほとんど同様であるが、水流出穴１０から流下した水はタンクフタ１１を介して排水タンク８内に貯められる。排水タンク８内の水位の上昇によりフロート１２が上昇し、満水位置までくると、フロート１２がリミットスイッチ１３を押圧して運転を停止する。使用者は排水タンク８を除湿機本体１から取り出し、図８に示すように、タンクフタ１１を排水タンク８から取り外して排水タンク８内に貯まった水を排水する。
【０００５】
【発明が解決しようとする課題】
従来の除湿機は以上のように構成されているので、図６に示す従来除湿機の場合は、排水タンク８の満水時に水捨てを行うために、排水タンク８を除湿機本体１から取り出す際や持ち運ぶときに、水面が揺動して排水タンク８内から水が溢れるという問題点があった。また、図７に示す従来除湿機のものは、タンクフタ１１が排水タンク８上面を覆っているので、持ち運ぶときに水面が揺動して排水タンク８内から水が溢れるという問題は軽減されているが、水捨てを行うたびに、毎回、排水タンク８の上面を覆っている大きなタンクフタ１１を取り外し、水捨てが終った後には再びタンクフタ１１を装着し直さなければならず、水捨て作業に手間がかかるという問題点があった。
【０００６】
本発明は、上記のような問題点を解決するためになされたもので、排水タンクの水捨ての際に、水面が揺動して排水タンク内の水が溢れるという問題点を軽減し、しかも、水捨て作業を簡便にした除湿機を得ることを目的としている。
【０００７】
【課題を解決するための手段】
本発明に係わる除湿機は、除湿機本体に排水タンクを着脱自在に設けた除湿機において、前記排水タンクの上面開口部を大タンクフタで覆い、この大タンクフタの端部に開口部を設け、この開口部を大タンクフタよりも平面積が小さい小タンクフタで着脱可能に覆い、排水タンク内の水捨ては、前記大小二つのタンクフタのうち、大タンクフタが前記排水タンクに取り付けられたままの状態において、小タンクフタのみを当該大タンクフタの前記開口部より取り外した状態にすることで、その開口部から排水できるようにしたものである。
【０００８】
また、前記大小二つのタンクフタのうち、小タンクフタ側にドレン受皿から流下した水を排水タンク内に落とす流入口を設けたものである。
【０００９】
【発明の実施の形態】
実施の形態１．
以下、本発明の除湿機を図に基づいて説明する。
図１は本発明の実施の形態１を示す排水タンクとタンクフタを示す斜視図、図２はその排水タンクを除湿機本体から引き出している状態を示す斜視図、図３は実施の形態１による除湿機の全体構成を示す断面図、図４、図５は実施の形態１による除湿機の排水タンクでの水捨て作業の方法を示す図である。
まず、本発明の実施の形態１による除湿機の全体構成について、図３により説明する。１〜１０は従来例と同一構成なので説明は省略する。排水タンク８の上面開口部は排水タンク８に着脱自在に取り付けられた大小二つからなるタンクフタ１５,１４で覆われており、小さい方のタンクフタ１４(以下、小タンクフタという)はドレン受皿７から排水タンク８へ水を落とす水流出穴１０の下方に位置して設置され、かつ上面は中央部に向かって下方に傾斜するように形成され、その中央部には排水タンク８内に水を落し込む流入口１６を備えている。
【００１０】
次に、排水タンク８部の詳細について、図１に基づき説明する。
大きい方のタンクフタ１５(以下、大タンクフタという)は排水タンク８の上面開口部に着脱自在に取り付けられるよう構成されており、小タンクフタ１４は大タンクフタ１５の一端部に形成した開口１８に嵌め込まれて着脱自在に取り付けられる。小タンクフタ１４の外周の一部には排水タンク８の外周よりも外に突出する手掛け部１７が一体に設けられている。
【００１１】
次に、動作の説明を行う。
除湿機としての基本動作は、従来と全く同じなので説明は省略する。
ドレン受皿７で受けられた水は水流出穴１０から下方の小タンクフタ１４に向かって流下し、小タンクフタ１４の流入口１６から排水タンク８内に入り、貯められる。
【００１２】
排水タンク８内に貯められ水が満水になった時、使用者は図２に示すように排水タンク８を除湿機本体１から引き出す。この時、排水タンク８内の水面が揺動して、水滴が飛び跳ねても、排水タンク８の上面開口部は大小二つからなるタンクフタ１５、１４で覆われているので、排水タンク８の外へ水滴が飛び出ることはない。
【００１３】
次に、使用者は図４に示すように小タンクフタ１４の手掛け部１７をつまみ、小タンクフタ１４を大タンクフタ１５から取り外す。手掛け部１７は排水タンク８の外周より突出しているので、つまみやすい。さらに、この作業はタンクフタ１１が排水タンク８全体を覆っている図７の従来例に比べて、非常に簡便かつ容易に行える。次に、使用者は図５に示すように、小タンクフタ１４を外したあとの開口１８から水を捨てる。
【００１４】
また、ドレン受皿７の水流出穴１０を小タンクフタ１４の上方に設け、小タンクフタ１４に排水タンク８へ水を落とす流入口１６を設けてあるので、大タンクフタ１５には小タンクフタ１４が嵌まる開口１８以外の穴がないように構成されている。このため、図５に示すように水捨て作業を行う際、水が出てくるのは小タンクフタ１４を外したあとの開口１８のみであるため、排水先のねらいが定まり、作業しやすい。これが逆に、大タンクフタ１５に流入口１６が設けられている場合は、水捨て作業時、小タンクフタ１４を外したあとの開口１８と大タンクフタ１５に設けた流入口１６の二つの開口から水が出てくるので、排水先のねらいが定まらず、作業しにくいことになる。
なお、上記実施の形態１では、小タンクフタ１４には排水タンク８の外周よりも外に突出する手掛け部１７を一体に設けた例を説明したが、前記手掛け部１７を設けずに、小タンクフタ１４に設けた流入口１６の形状や大きさを適宜設定することで、この流入口１６をそのまま手掛け部として利用することもできる。
【００１５】
【発明の効果】
以上のように、本発明によれば、排水タンクの取り出し時や水を捨てる際の排水タンクの持ち運び時における水面の揺動による水の溢れを軽減でき、しかも、タンクフタの着脱を簡便にでき、水捨て作業をスムースに行うことができるという効果が得られる。
【００１６】
また、小タンクフタの着脱の際、小タンクフタ側に設けた流入口を手掛け部として利用することもでき、かつ大タンクフタ側には開口部がないので、水捨ての際に、排水先のねらいを定めて排水することができる。
【図面の簡単な説明】
【図１】  本発明の実施の形態１による除湿機の排水タンクとタンクフタを示す斜視図である。
【図２】  本発明の実施の形態１による除湿機の排水タンクを除湿機本体から引き出している状態を示す斜視図である。
【図３】  本発明の実施の形態１による除湿機の全体構成を示す断面図である。
【図４】  本発明の実施の形態１による除湿機の排水タンクでの排水作業の方法を示す図である。
【図５】  本発明の実施の形態１による除湿機の排水タンクでの水捨て作業の方法を示す図である。
【図６】  従来の除湿機の基本構成を示す断面図である。
【図７】  別の従来除湿機の基本構成を示す断面図である。
【図８】  別の従来除湿機のタンクフタ詳細を示す図である。
【符号の説明】
１  除湿機本体、７  ドレン受皿、８  排水タンク、１４  小タンクフタ、１５  大タンクフタ、１６  流入口。
【図１】
0004347493.tif 000002
【図２】
0004347493.tif 000003
【図３】
0004347493.tif 000004
【図４】
0004347493.tif 000005
【図５】
0004347493.tif 000006
【図６】
0004347493.tif 000007
【図７】
0004347493.tif 000008
【図８】
0004347493.tif 000009